(57)【要約】  【課題】  ＩＣカード内に電気的に情報を追記するとともに、これに合わせて外面にも同一内容の情報を追記できるようにする。  【解決手段】  制御部１４は、管理者による入力部１６の操作入力に基づき、追記情報をＩＣカードリーダライタ１２へ送信し、ＩＣカードリーダライタ１２によってＩＣ運転免許証１１と非接触通信を行い、ＩＣ運転免許証１１の追記記憶領域に追記情報を記憶させる。また、ＩＣ運転免許証１１に記憶した追記情報と同一の情報をＩＣカード印字装置１３に送信し、ＩＣカード印字装置１３によってＩＣ運転免許証１１の裏面等の追記印字領域に追記情報を印字させる。【選択図】  図１
2005182135.tif 000002
【特許請求の範囲】
【請求項１】
ＩＣカードの外面に情報を印字するＩＣカード印字部と、
前記ＩＣカードの記録情報に関する変更内容を電気的に追加記憶した情報と同一内容の情報を前記ＩＣカード印字部に送信し、この情報内容を追記情報として前記ＩＣカードの外面に印字させる制御部と
を備えることを特徴とするＩＣカード追記装置。
【請求項２】
請求項１に記載のＩＣカード追記装置であって、
前記ＩＣカード印字部により前記追記情報を印字する際に、前記ＩＣカード上の予め設定された追記印字領域に印字させることを特徴とするＩＣカード追記装置。
【請求項３】
請求項２に記載のＩＣカード追記装置であって、
前記追記印字領域が、前記ＩＣカードの裏面であることを特徴とするＩＣカード追記装置。
【請求項４】
請求項１ないし３のいずれか一項に記載のＩＣカード追記装置であって、
前記ＩＣカードに対し電気的に情報の書き込み及び読み出しを行うＩＣカードリーダライタ部を備え、
前記制御部は、前記ＩＣカードの記録情報に関する変更内容の情報を前記ＩＣカードリーダライタ部に送信し、この情報内容を追記情報として前記ＩＣカードに電気的に記憶させるとともに、前記ＩＣカードリーダライタ部により前記ＩＣカードに電気的に記憶した追記情報と同一内容の情報を前記ＩＣカード印字部に送信し、この情報内容を追記情報として前記ＩＣカードの外面に印字させることを特徴とするＩＣカード追記装置。
【請求項５】
請求項１ないし４のいずれか一項に記載のＩＣカード追記装置であって、
前記ＩＣカードの外面を画像情報として読み取るイメージ読取部を備え、
前記制御部は、前記イメージ読取部により取得した前記ＩＣカードの画像情報に基づいて設定された印字開始位置を前記ＩＣカード印字部に対して指示することを特徴とするＩＣカード追記装置。
【請求項６】
請求項１ないし４のいずれか一項に記載のＩＣカード追記装置であって、
前記ＩＣカード印字部により前記追記情報を印字する領域を検出する印字領域検出部を備え、
前記制御部は、前記印字領域検出部により取得した前記ＩＣカードの位置情報に基づいて設定された印字開始位置を前記ＩＣカード印字部に対して指示することを特徴とするＩＣカード追記装置。
【請求項７】
記録情報を追記可能なＩＣカードであって、
当該ＩＣカード内部の記録情報に関する変更内容を電気的に追加記憶した情報と同一内容の情報をカード外面に追加記載するための印字が可能な追記印字領域を有することを特徴とするＩＣカード。
【発明の詳細な説明】
【技術分野】
【０００１】
本発明は、記録情報をＩＣカードに追記するＩＣカード追記装置及びこれに用いるＩＣカードに関する。
【背景技術】
【０００２】
非接触ＩＣカードは、記憶容量が１２８バイト以上あり、セキュリティ機能の搭載も容易で、近接型または近距離型の非接触通信によってＩＣリーダライタにかざすだけで情報の送受信が行えるため、種々の用途で実用化されている。ＩＣカードの利用例として、運転免許証への応用も検討されている（例えば、特許文献１参照）。また、ＩＣカード上に情報を視認可能に印字するＩＣカード印字装置も提案されている（例えば、特許文献２参照）。
【０００３】
現状の運転免許証では、発行後に住所、氏名等の記載内容の変更があった場合、変更された情報を手書きあるいは定型の印により裏面の備考欄に追記している。このような運転免許証をＩＣカード化する場合、上記従来例のようなＩＣカードを用いると、ＩＣカード内に記録した情報についてはＩＣリーダライタ等で変更内容を追記することが可能であるが、現状の運転免許証と同様に使用者等がＩＣカード単体で変更内容を視認することはできない。このため、変更内容を視認できるようにするには、現状の運転免許証と同様に手書きあるいは定型の印により追記することになる。この場合、ＩＣカード内のメモリに電気的な処理で記録された記録情報と外面の手書き等による情報とが異なるおそれがあり、このような情報の不一致を無くす手段を講じる必要がある。
【０００４】
【特許文献１】特開２０００−３２６６７０号公報
【特許文献２】特開２０００−３３１１２９号公報
【発明の開示】
【発明が解決しようとする課題】
【０００５】
本発明は、上記事情に鑑みてなされたもので、ＩＣカード内に電気的に情報を追記するとともに、これに合わせて外面にも同一内容の情報を追記することが可能なＩＣカード追記装置及びＩＣカードを提供することを目的とする。
【課題を解決するための手段】
【０００６】
本発明のＩＣカード追記装置は、ＩＣカードの外面に情報を印字するＩＣカード印字部と、前記ＩＣカードの記録情報に関する変更内容を電気的に追加記憶した情報と同一内容の情報を前記ＩＣカード印字部に送信し、この情報内容を追記情報として前記ＩＣカードの外面に印字させる制御部とを備えるものである。
【０００７】
この構成により、ＩＣカードの記録情報を変更する場合などに、ＩＣカードに変更内容を電気的に追加記憶した情報と同一内容の情報をＩＣカードの外面に印字させることが可能となる。このため、ＩＣカードの内部に記憶した情報と外面に記載した情報とを常に一致させた状態で、追記情報を視認可能に印字することができる。この結果、ＩＣカードに変更情報などを追記する場合における信頼性及び利便性を向上できるようになる。
【０００８】
また、本発明の一態様として、上記のＩＣカード追記装置であって、前記ＩＣカード印字部により前記追記情報を印字する際に、前記ＩＣカード上の予め設定された追記印字領域に印字させるものも含まれる。
【０００９】
この構成により、ＩＣカードの記録情報を変更する場合などに、ＩＣカードに変更内容を電気的に追加記憶した情報と同一内容の情報をＩＣカードの外面の追記印字領域に印字させることが可能となる。この結果、ＩＣカードの管理者や利用者等が追記情報を容易に認識することができるようになる。
【００１０】
また、本発明の一態様として、上記のＩＣカード追記装置であって、前記追記印字領域が、前記ＩＣカードの裏面であるものも含まれる。
【００１１】
この構成により、ＩＣカードの記録情報を変更する場合などに、ＩＣカードに変更内容を電気的に追加記憶した情報と同一内容の情報をＩＣカードの裏面の追記印字領域に印字させることが可能となる。この結果、ＩＣカードの管理者や利用者等がカード裏面に記載された追記情報を容易に認識することができるようになる。
【００１２】
また、本発明の一態様として、上記のＩＣカード追記装置であって、前記ＩＣカードに対し電気的に情報の書き込み及び読み出しを行うＩＣカードリーダライタ部を備え、前記制御部は、前記ＩＣカードの記録情報に関する変更内容の情報を前記ＩＣカードリーダライタ部に送信し、この情報内容を追記情報として前記ＩＣカードに電気的に記憶させるとともに、前記ＩＣカードリーダライタ部により前記ＩＣカードに電気的に記憶した追記情報と同一内容の情報を前記ＩＣカード印字部に送信し、この情報内容を追記情報として前記ＩＣカードの外面に印字させるものも含まれる。
【００１３】
この構成により、ＩＣカードの記録情報を変更する場合などに、変更内容をＩＣカードに電気的に追加記憶するとともに、この記憶した情報と同一内容の情報をＩＣカードの外面に印字させることが可能となる。このため、ＩＣカードの内部に記憶した情報と外面に記載した情報とを常に一致させた状態で、追記情報を視認可能に印字することができ、ＩＣカードに変更情報などを追記する場合の信頼性及び利便性をさらに向上できる。
【００１４】
また、本発明の一態様として、上記のＩＣカード追記装置であって、前記ＩＣカードの外面を画像情報として読み取るイメージ読取部を備え、前記制御部は、前記イメージ読取部により取得した前記ＩＣカードの画像情報に基づいて設定された印字開始位置を前記ＩＣカード印字部に対して指示するものも含まれる。
【００１５】
この構成により、ＩＣカードの外面を画像情報として読み取り、この画像情報に基づいて管理者等が容易に印字開始位置を指定することができる。このため、追記情報の印字位置を正確に、また、容易かつ迅速に指定して印字することが可能となる。
【００１６】
また、本発明の一態様として、上記のＩＣカード追記装置であって、前記ＩＣカード印字部により前記追記情報を印字する領域を検出する印字領域検出部を備え、前記制御部は、前記印字領域検出部により取得した前記ＩＣカードの位置情報に基づいて設定された印字開始位置を前記ＩＣカード印字部に対して指示するものも含まれる。
【００１７】
この構成により、例えば管理者等が印字位置を指定することによって、この指定された位置を印字領域の位置情報として検出し、この位置情報によって制御部より印字開始位置を指示して印字することができる。このため、追記情報の印字位置を正確に、また、容易かつ迅速に指定して印字することが可能となる。
【００１８】
本発明のＩＣカードは、当該ＩＣカード内部の記録情報に関する変更内容を電気的に追加記憶した情報と同一内容の情報をカード外面に追加記載するための印字が可能な追記印字領域を有するものである。
【００１９】
この構成により、ＩＣカードの記録情報を変更する場合などに、ＩＣカードに変更内容を電気的に追加記憶した情報と同一内容の情報を適切にＩＣカードの外面に印字させることが可能となる。このため、ＩＣカードの管理者や利用者等が追記情報を容易に認識することができるようになる。
【発明の効果】
【００２０】
本発明によれば、ＩＣカード内に電気的に情報を追記するとともに、これに合わせて外面にも同一内容の情報を追記することが可能なＩＣカード追記装置及びＩＣカードを提供できる。
【発明を実施するための最良の形態】
【００２１】
本実施形態では、非接触ＩＣカードを用いて運転免許証をＩＣカード化したもの（以下、これをＩＣ運転免許証という）を対象とし、このＩＣ運転免許証に対して適用するＩＣカード追記装置の例を説明する。
【００２２】
また、ＩＣカードとして、ＩＳＯによって制定された国際標準規格に準拠した非接触ＩＣカード「密着型（通信距離〜２ｍｍ；データ速度９．６ｋｂｉｔ／ｓ；使用周波数４．９１ＭＨｚ〜）、近接型（通信距離〜１０ｃｍ；データ速度１０６ｋｂｉｔ／ｓ〜；使用周波数１３．５６ＭＨｚ）、近傍型（通信距離〜７０ｃｍ；データ速度〜２６ｋｂｉｔ／ｓ；使用周波数１３．５６ＭＨｚ）」を用いることが可能であるが、これに限定されるものではなく、接触型や組合せ型のＩＣカードに適用しても良い。
【００２３】
（第１の実施形態）
図１は本発明の第１の実施形態に係るＩＣカード追記装置の構成を示すブロック図である。ＩＣカード追記装置１０は、ＩＣ運転免許証１１に所定情報を電子情報として書き込むとともにＩＣ運転免許証１１に記憶した電子情報を読み出すＩＣカードリーダライタ１２、ＩＣ運転免許証１１に所定情報を視認可能な文字図形情報である印字情報として印字（印刷も含む）するＩＣカード印字装置１３、これらＩＣカードリーダライタ１２やＩＣカード印字装置１３を制御する制御部１４とを有している。
【００２４】
制御部１４には、各種の情報を表示するＣＲＴ、ＬＣＤ等からなる表示部１５、各種の情報を入力するためのキーボード等の入力部１６、各種の情報を記憶したり所定の処理を行うための設定条件やプログラムを記憶したりするための記憶部１７、所定の演算処理を行うための処理部１８、ＩＣカードリーダライタ１２やＩＣカード印字装置１３と通信するための外部インタフェース１９等を備えている。なお、図１においては制御部１４、ＩＣカードリーダライタ１２、ＩＣカード印字装置１３は、ケーブル等により接続されている場合を示しているが、無線通信手段により接続される構成であってもよい。
【００２５】
図２はＩＣ運転免許証１１の内部構成を示すブロック図である。ＩＣ運転免許証１１は、渦巻状に巻かれたアンテナコイル２１とともに、非接触通信部２２及びメモリ２３を備えたＩＣチップ２９を備えて構成される。また、ＩＣ運転免許証１１は電源電圧を一定にして保持する図示しないコンデンサを備えている。これらのＩＣチップ２９及びアンテナコイル２１等の電子部品がＰＥＴ（Poly ethylene terephthalete）等の基板間に配設されてＩＣカードが形成されている。このＩＣ運転免許証１１は、非接触通信部２２によりアンテナコイル２１を介してＩＣカードリーダライタ１２と電磁波による通信を行い、各種の情報の送受信を行うと共に、当該電磁波から動作電力を受けて動作する。
【００２６】
ＩＣチップ２９のメモリ２３には、所定情報（例えば、顔写真、氏名、住所、生年月日、交付年月日、番号、免許の種類等）が電子情報として記憶される。このメモリ２３は、新たにＩＣ運転免許証１１が発行された際に、上記所定情報を記憶情報として固定的に記憶する固定記憶領域２５と、この記憶された所定情報の住所、氏名等が変更された場合に、変更された情報を追記情報として記憶する追記記憶領域２４とを有している。
【００２７】
図３はＩＣ運転免許証１１の券面を示す図であり、図３（Ａ）はＩＣ運転免許証１１の表面を示し、図３（Ｂ）はＩＣ運転免許証１１の裏面を示している。ＩＣ運転免許証１１の表裏面には、上記所定情報を視認可能に印字する表示欄２６が設けられている。この表示欄２６は、新たにＩＣ運転免許証１１が発行された際に、上記所定情報を印字情報として固定的に印字する表面の固定印字領域２７と、この印字された所定情報のうち住所、氏名等が変更された場合に、変更された情報を追記情報として印字する裏面の備考欄による追記印字領域２８とを有する。
【００２８】
ＩＣカードリーダライタ１２は、制御部１４からの指令（コマンド）に基づき所定の通信距離内に位置するＩＣ運転免許証１１と無線通信を行い、電子情報をＩＣ運転免許証１１のメモリ２３の追記記憶領域２４に書き込んだり、あるいは既にＩＣ運転免許証１１のメモリ２３に記憶されている電子情報を読み出したりする。
【００２９】
ＩＣカード印字装置１３は、制御部１４から送られてきた情報をＩＣ運転免許証１１に対して印字する印字部３１を備えている。この印字部３１は、熱転写式、インクジェット式等の印字手段を有して構成され、制御部１４から印字コマンド及び追記情報を受け取ると、その印字コマンドにより指定された位置に追記情報を印字する。
【００３０】
次に、上記のように構成されたＩＣカード追記装置１０における追記動作を説明する。図４はＩＣ運転免許証１１の記録情報を変更する場合の追記情報の記憶及び印字の手順を示すフローチャートである。なお、この追記処理に先立ち、利用者から住所変更が申請されているものとし、その申請書には利用者が特定できる情報として氏名や運転免許証番号等が記載されていると共に新住所が記載されているものとする。そして、管理者がこの申請書に基づき住所変更を行い、ＩＣカード追記装置１０を用いてＩＣ運転免許証１１に対して変更情報の追記を行うものとする。
【００３１】
追記処理を行う場合には、ＩＣカード追記装置１０を使用する管理者は、ＩＣ運転免許証１１をＩＣカードリーダライタ１２近傍に配置する。ＩＣカードリーダライタ１２は、追記処理が開始されると、ＩＣ運転免許証１１が所定の通信範囲内に存在して通信可能な状態になるのを待つ（ステップＳ１１）。通信可能状態になると、そのことを示す信号が制御部１４に送られ、制御部１４はＩＣカードリーダライタ１２に読取コマンドを送信する（ステップＳ１２）。
【００３２】
ＩＣカードリーダライタ１２は、読取コマンドを受信するとＩＣ運転免許証１１と通信してＩＣ運転免許証１１のメモリ２３から電子情報を読み取り、読み取った電子情報を制御部１４に送信する（ステップＳ１３）。制御部１４は、受信した電子情報を記憶部１７に記憶するとともに、所定の書式で表示部１５に表示する（ステップＳ１４）。
【００３３】
管理者は、表示部１５に表示された情報と申請書の記載情報とから、申請者がこのＩＣ運転免許証１１の正規の利用者であるか否かを判断し、正規の利用者であると判断した場合には入力部１６を操作して処理続行を指示し、正規の利用者でないと判断した場合には入力部１６を操作して処理停止を指示する。そして、制御部１４は入力部１６からの指示入力により処理続行か否かを判断する（ステップＳ１５）。
【００３４】
制御部１４は、処理停止指示を受けると追記処理を停止し、また処理続行指示を受けると追記情報の入力待ちとなる（ステップＳ１６）。管理者が入力部１６から追記情報を入力すると、制御部１４はこの追記情報を書込コマンドと共にＩＣカードリーダライタ１２に送信する。ＩＣカードリーダライタ１２は、制御部１４からの書込コマンドに従って、追記情報をＩＣ運転免許証１１のメモリ２３の追記記憶領域２４に書き込む（ステップＳ１７）。
【００３５】
続いて、この追記情報の印字処理を行う。制御部１４は、ＩＣカードリーダライタ１２に読取コマンドを送信して、ＩＣ運転免許証１１のメモリ２３に記憶された情報を取得する（ステップＳ１８）。このとき取得したＩＣ運転免許証１１の記録情報は、メモリ２３の固定記憶領域２５に記憶された記憶情報と今回追記記憶領域２４に書き込んだ追記情報とを含むものであり、この追記情報を追記用に印字する印字情報とする。
【００３６】
なお、ステップＳ１８におけるＩＣ運転免許証１１からの記憶情報取得処理を省略し、ステップＳ１６で入力部１６から入力された追記情報を記憶部１７に記憶し、この追記情報を追記用に印字する印字情報としてもよい。
【００３７】
このとき、管理者は、ＩＣ運転免許証１１の裏面が印字面になっていることを確認し、ＩＣカード印字装置１３に対して印字面及び印字方向が正しい方向になるようにＩＣ運転免許証１１をセットする。また、管理者は表示部１５の表示を見ながら入力部１６から印字位置を指定する。なお、ＩＣカードリーダライタ１２とＩＣカード印字装置１３とが近傍に配設される構成とし、ＩＣカードリーダライタ１２によりＩＣ運転免許証１１に対して電気的な追記を行う前に、ＩＣカード印字装置１３により印字可能な所定位置にＩＣ運転免許証１１を配設するようにしてもよい。
【００３８】
制御部１４は、入力部１６からの印字位置の指定を待ち、印字位置が指定されると印字を開始すべくＩＣカード印字装置１３に印字コマンド及び印字情報を送信する（ステップＳ１９）。ＩＣカード印字装置１３は、印字コマンド及び印字情報を受け取ると、この印字コマンドで指定された追記印字領域２８内の位置に追記情報の印字を開始する（ステップＳ２０）。
【００３９】
なお、表示部１５にタッチパネルの機能を具備して入力部１６を兼ねるようにし、印字位置をタッチパネルから指示できるようにしてもよい。
【００４０】
このように、第１の実施形態では、ＩＣ運転免許証１１に対して、記録情報の変更手続を行う際に、変更された情報を追記情報としてメモリ２３の追記記憶領域２４に電気的に書き込むとともに、この追記情報を裏面の追記印字領域２８に印字することができ、迅速に追記処理を行うことが可能である。
【００４１】
追記情報を印字する際に、メモリ２３の追記記憶領域２４に書き込む電子情報と同じ情報を印字情報とするため、追記情報である電子情報と印字情報とが常に一致するようになる。これにより、ＩＣ運転免許証１１のメモリ２３内の記憶情報と外面の印字情報とを常に一致させることができ、ＩＣ運転免許証１１の追記における信頼性を向上できる。また、追記情報は、ＩＣカードリーダライタ１２でメモリ２３から読み取って表示部１５に表示することによって管理者等が容易に確認できるとともに、ＩＣ運転免許証１１の使用者が外面の印字によって容易に視認できる。これにより、ＩＣ運転免許証１１の利便性を向上できる。
【００４２】
（第２の実施形態）
図５は本発明の第２の実施形態に係るＩＣカード追記装置の構成を示すブロック図である。なお、図１に示した第１の実施形態と同様の構成要素には同一符号を付している。
【００４３】
第２の実施形態では、ＩＣカード印字装置１３にＩＣ運転免許証１１の裏面の表示状態を読み取るイメージ読取部３２を設けている。このイメージ読取部３２によって読み取った券面の画像データを表示部１５に表示させることにより、管理者等が印字位置を容易かつ迅速に指定できるようにしている。
【００４４】
次に、この第２の実施形態における追記動作を説明する。図６はＩＣ運転免許証１１の記録情報を変更する場合の追記情報の記憶及び印字の手順を示すフローチャートである。  追記処理を行う場合には、ＩＣカード追記装置１０を使用する管理者は、ＩＣ運転免許証１１をＩＣカードリーダライタ１２近傍に配置する。ＩＣカードリーダライタ１２は、追記処理が開始されると、ＩＣ運転免許証１１が所定の通信範囲内に存在して通信可能な状態になるのを待つ（ステップＳ３１）。通信可能状態になると、そのことを示す信号が制御部１４に送られ、制御部１４はＩＣカードリーダライタ１２に読取コマンドを送信する（ステップＳ３２）。
【００４５】
ＩＣカードリーダライタ１２は、読取コマンドを受信するとＩＣ運転免許証１１と通信してＩＣ運転免許証１１のメモリ２３から電子情報を読み取り、読み取った電子情報を制御部１４に送信する（ステップＳ３３）。制御部１４は、受信した電子情報を記憶部１７に記憶するとともに、所定の書式で表示部１５に表示する（ステップＳ３４）。
【００４６】
管理者は、表示部１５に表示された情報と申請書の記載情報とから、申請者がこのＩＣ運転免許証１１の正規の利用者であるか否かを判断し、正規の利用者であると判断した場合には入力部１６を操作して処理続行を指示し、正規の利用者でないと判断した場合には入力部１６を操作して処理停止を指示する。そして、制御部１４は入力部１６からの指示入力により処理続行か否かを判断する（ステップＳ３５）。
【００４７】
制御部１４は、処理停止指示を受けると追記処理を停止し、また処理続行指示を受けると追記情報の入力待ちとなる（ステップＳ３６）。管理者が入力部１６から追記情報を入力すると、制御部１４はこの追記情報を書込コマンドと共にＩＣカードリーダライタ１２に送信する。ＩＣカードリーダライタ１２は、制御部１４からの書込コマンドに従って、追記情報をＩＣ運転免許証１１のメモリ２３の追記記憶領域２４に書き込む（ステップＳ３７）。
【００４８】
続いて、この追記情報の印字処理を行う。制御部１４は、ＩＣカードリーダライタ１２に読取コマンドを送信して、ＩＣ運転免許証１１のメモリ２３に記憶された情報を取得する（ステップＳ３８）。このとき取得したＩＣ運転免許証１１の記録情報は、メモリ２３の固定記憶領域２５に記憶された記憶情報と今回追記記憶領域２４に書き込んだ追記情報とを含むものであり、この追記情報を追記用に印字する印字情報とする。
【００４９】
なお、ステップＳ３８におけるＩＣ運転免許証１１からの記憶情報取得処理を省略し、ステップＳ３６で入力部１６から入力された追記情報を記憶部１７に記憶し、この追記情報を追記用に印字する印字情報としてもよい。
【００５０】
このとき、管理者は、ＩＣカード印字装置１３に対して印字面及び印字方向が正しい方向になるようにＩＣ運転免許証１１をセットする。制御部１４は、前記ＩＣカードリーダライタ１２への読取コマンドとともに、ＩＣカード印字装置１３にイメージ取得コマンドを送信する（ステップＳ３９）。ＩＣカード印字装置１３は、制御部１４からのイメージ取得コマンドを受けてＩＣ運転免許証１１の券面のイメージ取得を行い、券面の画像データを制御部１４に送信する（ステップＳ４０）。
【００５１】
そして、制御部１４はＩＣ運転免許証１１の券面の画像データを表示部１５に表示する（ステップＳ４１）。管理者は、表示部１５の表示画面に基づきＩＣ運転免許証１１の印字面が正しくセットされているかを判断し、正しくセットされている場合は入力部１６を操作して処理続行を指示し、正しくセットされていない場合は入力部１６を操作して処理のやり直しを指示する。そして、制御部１４は入力部１６からの指示入力によりＩＣ運転免許証１１の向きが適正か否かを判断する（ステップＳ４２）。ここで、ＩＣ運転免許証１１の印字面及び印字方向が正しくセットされていない場合には、ステップＳ４０に戻り正しくセットされるまで処理を繰り返す。
【００５２】
制御部１４は、ＩＣ運転免許証１１が正しくセットされており、処理続行指示を受けると印字位置の指定待ちとなる（ステップＳ４３）。ここで、管理者は表示部１５の表示画面を参照して入力部１６から印字位置を指定する。印字位置が指定されると、制御部１４は印字を開始すべくＩＣカード印字装置１３に印字コマンド及び印字情報を送信し、印字を開始する（ステップＳ４４）。ＩＣカード印字装置１３は、印字コマンド及び印字情報を受け取ると、この印字コマンドで指定された追記印字領域２８内の位置に追記情報の印字を行う。
【００５３】
なお、表示部１５にタッチパネルの機能を具備して入力部１６を兼ねるようにし、印字位置をタッチパネルから指示できるようにしてもよい。
【００５４】
このように、第２の実施形態では、第１の実施形態と同様、ＩＣ運転免許証１１に対して、記録情報の変更手続を行う際に、変更された情報を追記情報としてメモリ２３の追記記憶領域２４に電気的に書き込むとともに、この追記情報を裏面の追記印字領域２８に印字することができ、迅速に追記処理を行うことが可能である。この追記情報を印字する際に、メモリ２３に書き込む電子情報と同じ情報を印字情報とし、追記情報である電子情報と印字情報とが常に一致するようにできるため、ＩＣ運転免許証１１のメモリ２３内の記憶情報と外面の印字情報とを常に一致させることができ、ＩＣ運転免許証１１の追記における信頼性及び利便性を向上できる。
【００５５】
また、第２の実施形態では、追記情報の印字に先立ってＩＣ運転免許証１１の券面における追記印字領域のイメージを取得して表示部１５に表示することにより、管理者等が常に適切な追記位置を確認して指定することができるようになり、追記情報の印字を迅速かつ正確に行うことが可能となる。このとき、既に手書きまたは印字されている領域を避けて、重複等の支障なく正しい位置に印字を行うことができる。
【００５６】
上記第２の実施形態において、イメージ読取部３２の代わりに、管理者等がレバー等によってＩＣ運転免許証１１の所定部分を印字開始位置に合わせるようにし、このときの印字領域の位置情報を検出して印字開始位置情報として制御部１４に出力する印字領域検出部を設ける構成とした場合であっても、同様に実施可能である。
【００５７】
なお、本実施形態のＩＣカード追記装置は、ＩＣ運転免許証に限らず、その他のＩＣカードの用途においても、これまでの利用形態を変えることなく互換性を保ちながら適用できる。また、ＩＣカードとして非接触ＩＣカードを用いることで、通常の使用状態においてＩＣカードを種々の装置に挿入したりする頻度が少なくなり、ＩＣカードの表裏面の汚れや傷によって印字した追記情報等が見え難くなったり、かすれたりすることを抑制できる。
【産業上の利用可能性】
【００５８】
本発明は、記録情報を変更する場合などに、ＩＣカード内に電気的に情報を追記するとともに、これに合わせて外面にも同一内容の情報を追記することができる効果を有し、記録情報をＩＣカードに追記するＩＣカード追記装置及びＩＣカード等に有用である。
【図面の簡単な説明】
【００５９】
【図１】本発明の第１の実施形態に係るＩＣカード追記装置の構成を示すブロック図
【図２】ＩＣ運転免許証の内部構成を示すブロック図
【図３】ＩＣ運転免許証の券面を示す図であり、（Ａ）は表面、（Ｂ）は裏面をそれぞれ示す図
【図４】第１の実施形態におけるＩＣ運転免許証の記録情報を変更する場合の追記情報の記憶及び印字の手順を示すフローチャート
【図５】本発明の第２の実施形態に係るＩＣカード追記装置の構成を示すブロック図
【図６】第２の実施形態におけるＩＣ運転免許証の記録情報を変更する場合の追記情報の記憶及び印字の手順を示すフローチャート
【符号の説明】
【００６０】
１１  ＩＣ運転免許証（ＩＣカード）
１２  ＩＣカードリーダライタ
１３  ＩＣカード印字装置
１４  制御部
１５  表示部
１６  入力部
１７  記憶部
１８  処理部
２２  非接触通信部
２３  メモリ
２４  追記記憶領域
２５  固定記憶領域
２６  表示欄
２７  固定印字領域
２８  追記印字領域
２９  ＩＣチップ
３１  印字部
３２  イメージ読取部
【図１】
2005182135.tif 000003
【図２】
2005182135.tif 000004
【図３】
2005182135.tif 000005
【図４】
2005182135.tif 000006
【図５】
2005182135.tif 000007
【図６】
2005182135.tif 000008